(57)【特許請求の範囲】
【請求項１】
基材テープ表面に塗膜を形成している転写テープが、繰出しリールから転写ヘッドを介して巻取りリールに巻回されて、繰出しリールと巻取りリールの連動機構と共にケースに配置しており、ケース外に突設した転写ヘッドにて転写テープから塗膜を被転写面に転写する自動巻取り式の塗膜転写具において、塗膜転写具が有する補助具を被転写面に当てたまま塗膜を転写すると、塗膜転写の終了位置が決まることを特徴とする塗膜転写具。
【発明の詳細な説明】
【技術分野】
【０００１】
本発明は、基材テープ表面に塗膜を形成している転写テープから塗膜を、転写ヘッドにて押圧して被転写面に転写するために用いる自動巻取り式の塗膜転写具に関するものである。
【背景技術】
【０００２】
従来より、塗膜に様々な機能を持たせた塗膜転写具が、開発されている。特に、誤字を隠蔽するための修正塗膜の塗膜転写具や紙同士などを接着するための粘着塗膜の塗膜転写具は、修正テープやテープのりなどの商品名で販売されている。
【０００３】
これら塗膜転写具に共通する使用上の問題として、使用者が転写したいと思う長さ分だけ、特に短い長さ分だけ、きっちりと転写するのが難しいという問題があった。
【０００４】
例えば、修正テープといわれる修正塗膜の塗膜転写具の場合、隠蔽したい文字が１文字だけであると、その前後の文字に転写することなく、１文字だけに修正塗膜を転写することは非常に難しかった。また、テープのりといわれる粘着塗膜の塗膜転写具の場合、任意の微小部分にだけ粘着塗膜を転写して、他の何かを貼り付けるなどの作業には適していなかった。そのため、様々な工夫がされてきた。
【０００５】
特開平０７−０８９６６２号公報では、塗膜転写具とは別物であるガイドプレートを塗膜転写具と共に使用する方法が開示されている。しかしこれでは、根本的な解決になっていない。
【０００６】
特開平０９−１５６２９８号公報では、転写ヘッドを透明にしたものが提案されているが、透明な材料では、転写ヘッドにおける塗膜をきれいに転写するための特性を出すのが難しい。同じく見やすくしたものとして、特開２００１−３５４３５５号公報では、金属線材を折り曲げてコの字形状とした転写ヘッドのものが商品化されているが、金属であるため同様に、転写ヘッドにおける塗膜をきれいに転写するための特性を出すのが難しい。
【０００７】
この難しい特性、すなわち、転写ヘッドにおける塗膜をきれいに転写するための特性として、転写ヘッドが基材テープ幅方向で隙間なく密着して、その幅方向で均一に押圧できることがある。これが使用者の使用状況に応じて柔軟に機能する必要もある。このような特性を出すことが、塗膜転写具の開発におけるひとつの要点でもある。
【０００８】
一方、特開２００６−１２３４６４号公報では、特性を出すのが難しい転写ヘッドを改良するのではなく、テープ繰出長規制機構を設けて、テープが繰り出される長さを規制したものを開発している。
【先行技術文献】
【特許文献】
【０００９】
【特許文献１】特開平０７−０８９６６２号公報
【特許文献２】特開平０９−１５６２９８号公報
【特許文献３】特開２００１−３５４３５５号公報
【特許文献４】特開２００６−１２３４６４号公報
【発明の概要】
【発明が解決しようとする課題】
【００１０】
しかしながら、特開２００６−１２３４６４号公報では、塗膜転写具であらかじめ決められた長さにしか規制することができず、転写する都度に使用者が思う任意の長さに細かく規制できているわけではない。
【００１１】
本発明が解決しようとする課題は、使用者が転写したいと思う任意の長さ分だけ、きっちりと転写することができる塗膜転写具を提供することである。
【課題を解決するための手段】
【００１２】
使用者が転写しているときに、転写テープの塗膜が実際に基材テープから剥がれて転写されている（使用者から見えにくい）細かな部分を使用者が覗き込まなくても、通常の使用状態で転写の終了位置を使用者に明確にさせることにより、きっちりと転写することができるようにしたものである。
【００１３】
本発明は、基材テープ表面に塗膜を形成している転写テープが、繰出しリールから転写ヘッドを介して巻取りリールに巻回されて、繰出しリールと巻取りリールの連動機構と共にケースに配置しており、ケース外に突設した転写ヘッドにて転写テープから塗膜を被転写面に転写する自動巻取り式の塗膜転写具において、塗膜転写具が有する補助具を被転写面に当てたまま塗膜を転写すると、塗膜転写の終了位置が決まることを特徴とする塗膜転写具である。
【発明の効果】
【００１４】
本発明の塗膜転写具により、使用者が転写したいと思う任意の長さ分だけ、きっちりと転写することができる塗膜転写具を提供することができるようになった。
【図面の簡単な説明】
【００１５】
【図１】塗膜転写具の外観の説明図である。
【図２】内部構成の説明図（正面図）である。
【図３】内部構成の説明図（背面図）である。
【図４】実施例１の開始位置の説明図（正面図）である。
【図５】実施例１の開始位置の説明図（背面図）である。
【図６】実施例１の終了位置の説明図（正面図）である。
【図７】実施例１の終了位置の説明図（背面図）である。
【図８】実施例１内部構成の開始位置の説明図である。
【図９】実施例２の開始位置の説明図（正面図）である。
【図１０】実施例２の開始位置の説明図（背面図）である。
【図１１】実施例２の終了位置の説明図（正面図）である。
【図１２】実施例２の終了位置の説明図（背面図）である。
【図１３】実施例２内部構成の開始位置の説明図である。
【図１４】実施例２内部構成の終了位置の説明図である。
【図１５】実施例３の開始位置の説明図（正面図）である。
【図１６】実施例３の開始位置の説明図（背面図）である。
【図１７】実施例３の終了位置の説明図（正面図）である。
【図１８】実施例３の終了位置の説明図（背面図）である。
【発明を実施するための形態】
【００１６】
従来の塗膜転写具を説明した後に、本発明を実施例にて説明する。なお、これらの塗膜転写具だけに、本発明が限定されるものではない。
【００１７】
図１は、塗膜転写具１の外観の説明図である。この塗膜転写具１の外観は、ユニオンケミカー株式会社製「修正テープ消シマウスＨＧ」の外観である。なお便宜的に、図１を意匠の正投影図法（６面図）で示す場合の正面図とする。
【００１８】
この塗膜転写具１の外観の特徴として、正面から背面へ貫通する貫通部６を有している。また、テープがたるんだりしたときに直すための、調整窓７を有している。調整窓７からは、内部にある巻取りリール側面に形成している波形溝が見えており、この波形溝にペン先など細いものをひっかけて動かすことで、テープのたるみを直すことができる。なお、この調整窓７は正面側だけにあり、背面側にはない。
【００１９】
塗膜転写具１のケース２を図面右方向へ、ケース２外に突設した転写ヘッド３にて被転写面４に転写テープを押圧しながら動かすと、転写テープから塗膜５を被転写面４に転写することができる。図１はその様子を表したものである。
【００２０】
図２は、正面図における塗膜転写具１の内部構成の説明図である。図３は、背面図における塗膜転写具１の内部構成の説明図である。これらの図では、塗膜転写具１の主要部材だけを表している。
【００２１】
図２や図３のように、主要部材が見える場合、ケース２に関係する部分は主に断面となるので、その断面には斜線を施している。繰出しリール１１、巻取りリール１２、および、転写ヘッド３は通常不透明である。
【００２２】
不透明な転写ヘッド３の側壁８によって、図１では、転写ヘッド３における転写テープ１０の配置や転写ヘッド３の構造は見えていない。転写ヘッド３の側壁８を透明にして表すことによって、図２や図３では、どのような配置や構造であるのかを示している。
【００２３】
塗膜転写具１の種類によっては、外観意匠の違いはもとより、内部構成において、リールの回転方向や配置、連動機構などに違いが見られるが、基本的には図２や図３と同じような主要部材からなる構成である。また本発明が、この構成だけに限定されるものではない。なおこれらの図は、ユニオンケミカー株式会社製「修正テープ消シマウスＨＧ」の主要部材である。
【００２４】
基材テープ９表面に塗膜５を形成している転写テープ１０が、繰出しリール１１から転写ヘッド３を介して巻取りリール１２に巻回されて、繰出しリール１１と巻取りリール１２の連動機構と共に、ケース２に配置されている内部構成である。
【００２５】
基材テープ９としては、グラシン紙等の紙基材や、ポリエチレンテレフタレート（ＰＥＴ）フィルム、ポリプロピレンフィルム、ポリエチレンフィルム等の合成樹脂基材のものを用いればよい。基材テープ９表面上には離型層を設けてもよいし、基材自体を離型処理してもよい。
【００２６】
塗膜５としては、修正塗膜、粘着塗膜、絵柄塗膜などの任意のものを形成することができる。また、これら以外の機能を持たせた機能性塗膜を形成することもできる。
【００２７】
繰出しリール１１と巻取りリール１２の連動機構としては、繰出しリール１１と巻取りリール１２に設けたギアの噛合によって連動させる機構や、Ｏリング等の無端状のゴムベルトによって連動させる機構などを用いることができる。また、テープが余分に繰り出されたり巻き取られたりしないように、逆回転防止機構を備えている方が好ましい。
【００２８】
ここでの連動機構はギアであり、図３の背面にて、繰出しリール１１の繰出しギア１９が巻取りリール１２の巻取りギア２０と噛合している。この連動機構によって、自動巻取り式となる。なお、巻取りギア２０が図３の垂直方向手前にあり、巻取りリール１２の側面より径が小さい。
【００２９】
ケース２の外枠以外でケース２に関係する主要な部分として、次の５箇所を表している。繰出しリール１１の支軸となる円筒形断面の繰出しリール中心軸１３、巻取りリール１２の支軸となる円筒形断面の巻取りリール中心軸１４、繰出しリール１１から繰り出された転写テープ１０を転写ヘッド３に導いている円柱形断面の繰出しテープガイド１５、転写ヘッド３から塗膜５を転写した基材テープ９を巻取りリール１２に導いている円柱形断面の巻取りテープガイド１６、転写ヘッド３を支持している円筒形断面の転写ヘッド支持部１７である。
【００３０】
繰出しリール１１は、円筒形断面の繰出しリール中心軸１３に直接接してはおらず、その間にある中間部材１８の４箇所と図２のように接している。中間部材１８は、繰出しリール１１の繰出しギア１９に接続されている。そのため図では、繰出しリール１１の繰出しギア１９と中間部材１８を、同じ網模様で表している。ただし、図２のような正面図において、中間部材１８の４箇所が明確になるように、繰出しリール１１内側に現れる背面側の繰出しギア１９側面部分は網模様で表していない。
【００３１】
中間部材１８の４箇所は、弾性を有したものである。これにより、連動機構と逆回転防止機構との間でタイミングが合わなくなるなど、何かしらの強い力で転写テープ１０が引っ張られることがあると、繰出しリール１１が接している中間部材１８の４箇所ですべるようになっている。これで、余計な引出しによるたるみやテープの破断などの不具合を防ぐことができる。
【００３２】
巻取りリール１２は、円筒形断面の巻取りリール中心軸１４に直接接して、回動自在になっているが、図３の背面にて、繰出しリール１１の繰出しギア１９が巻取りリール１２の巻取りギア２０と噛合しているので、巻取りリール１２は、繰出しリール１１の回転に連動することになる。
【００３３】
また、図２のような正面図において、巻取りリール１２の側面には波形溝２１がある。波形溝２１は、図の垂直方向手前に立ち上がる垂直面とそこから斜めに下がる斜面からなる三角波形状であり、円形扇のように形成している。図では、その波形溝２１の垂直面を外円周へ向かう直線で表している。この波形溝２１は、図１で説明したように、調整窓７からテープがたるんだりしたときに直すために利用する溝である。
【００３４】
リールおよびリール中心軸周辺の構造の特徴として、リール中心軸に接しているリール円筒部（繰出しリールでは図３のギアの中心にある円筒部）から４本の短いスポークを有する構造にしている。
【００３５】
繰出しリール１１と巻取りリール１２の連動機構における逆回転防止機構は、いわゆるラチェットのような構造のものである。図３の繰出しギア１９側面において、開口部からリールに巻かれている転写テープが見えており、それよりも中心軸近くにラチェットの爪２２を対角位置の２ヶ所に形成している。この爪２２が係るラチェットの溝はケース２に形成しているが、図では省略している。
【００３６】
転写ヘッド３は、ケース２外に突設されており、ケース２内に向かって、太い支軸と細い支軸からなり、細い支軸の端に図面垂直方向に対して円柱形状のものを有している。その円柱が、円筒形断面の転写ヘッド支持部１７によって、支持されている。なお、図における転写ヘッド３は、点を施して表している。
【００３７】
この転写ヘッド３と被転写面４との接点から転写ヘッド支持部１７中心への方向が、転写ヘッド３の支軸方向である。
【００３８】
塗膜５を被転写面４に転写させる塗膜転写具１の使用方法は、ケース２外に突設された転写ヘッド３にて転写テープ１０を押圧して、被転写面４において塗膜５を転写させたい部分に接触させながら、塗膜転写具１を被転写面４に対して斜めに傾けて移動させる方法である。図では、転写ヘッド３の支軸方向と被転写面４の間の角度が４０度である。
【００３９】
このように移動させることで、テープが走行して、転写テープ１０が繰り出されて繰出しリール１１が回り、繰出しリール１１の繰出しギア１９も回り、噛合している巻取りリール１２のギアによって、巻取りリール１２が回る。これらギア比とリール径比を調整して、基材テープ９が巻き取られるようになっている。こうして自動巻取りされることになる。なお、この調整のためにも、巻取りリール１２のスポーク構造が有効である。
【００４０】
このような通常の使用では、上記のような内部構成からなる塗膜転写具１なので、テープがたるむことなどは起こらないが、何かしらのタイミングのずれによってたるんだ時には、巻取りリール１２の波形溝２１によって調整窓７から巻き締めることができる。
【実施例１】
【００４１】
実施例１は、補助具３１が回動部３２にて塗膜転写具１のケース２に接続しているものである。この塗膜転写具１のケース２および内部構成は、上記で説明したものであり、ユニオンケミカー株式会社製「修正テープ消シマウスＨＧ」と同じである。補助具３１の形状は円弧形状で、円の半径方向に幅のある円弧形状である。補助具３１は、塗膜転写具１の正面側と背面側それぞれにある。
【００４２】
補助具３１の円弧における円周方向の一端に回動部３２があり、それとは反対側の一端に被転写面４と接する接地部分（接地部３３）がある。補助具３１を被転写面４に当てたまま塗膜転写ができるように、接地部３３には滑り止め用のゴムカバーを着けている。このゴムカバーが、実際に被転写面４と直接接触する部分である。
【００４３】
図４から図８までが、この実施例１の説明図である。図４は、正面図における開始位置の説明図であり、図５は、背面図における開始位置の説明図である。図６は、正面図における終了位置の説明図であり、図７は、背面図における終了位置の説明図である。図８は、正面図における内部構成の開始位置の説明図である。
【００４４】
図８は、図２と同様の方式で表していて、補助具３１は不透明で表している。図のように、補助具３１の回動部３２は、内部構成の隙間に設置している。
【００４５】
正面側と背面側それぞれにある２つの補助具３１は、図では表していないが、図面奥行方向の軸にて回動部３２を介して接続しており、同期して回動する。また、図には示していないが、トーションばねを補助具３１とケース２との間に設置して、図の開始位置と終了位置の間でしか動かず、かつ、ばねによって開始位置に戻るような構成にしている。ばねのような弾発部材によって開始位置と終了位置が決められて開始位置に戻るように設けられた補助具３１である。
【００４６】
補助具３１の回動部３２を中心にして回動するので、補助具３１の接地部３３は円を描いて動くことになる。ここで図のように、ケース２の位置に回動部３２を設けて、被転写面４までの長さを取れば、開始位置から終了位置までの動きで描く接地部３３の軌跡（円弧）がほぼ直線となり、転写に支障をきたすことはない。開始位置から終了位置までの動きで描く接地部分の軌跡がほぼ直線となるように設けられたものである。
【００４７】
図４（図５）のように、塗膜転写具１のケース２を図面右方向（図５では左方向）へ、ケース２外に突設した転写ヘッド３にて被転写面４に転写テープを押圧しながら動かすときに、補助具３１を被転写面４に当てたまま塗膜転写を開始すると、補助具３１が開始位置と終了位置の間でしか動かすことができず、図６（図７）のように、終了位置で動かなくなり、終了位置までしか塗膜を転写することができない。塗膜転写具１が有する補助具３１を被転写面４に当てたまま塗膜を転写すると、塗膜転写の終了位置が決まることになる。
【００４８】
なお、転写ヘッド３の支軸方向と被転写面４の間の角度が４０度で、補助具３１が被転写面４に当たり、塗膜転写が開始できるようにしている。転写ヘッド３の支軸方向と被転写面４の間の角度は、３５度から５０度の範囲が好ましい。この角度より小さいと、補助具３１を被転写面４に当てたまま、塗膜転写するのに、大きな力を要することになり、転写し難くなる。逆に、この角度より大きいと、転写の終了位置が短くなりすぎて、目的を達することができなくなる。
【００４９】
実施例１では、終了位置における補助具３１の接地部３３が、転写ヘッド３の先端と、図面奥行方向で並ぶように設置している。ゆえに、塗膜転写具１の使用者にも、終了位置が明確にわかるものとなっている。
【００５０】
使用者が転写したいと思う長さが、開始位置と終了位置の長さ以下の短い場合であれば、補助具３１の接地部３３からわかる終了位置を目安にして、きっちりと転写することができる。また、使用者が転写したいと思う長さが、開始位置と終了位置の長さよりも長い場合であれば、次のようにすればきっちりと転写することができる。転写ヘッド３の支軸方向と被転写面４の間の角度を大きくして、補助具３１を被転写面４に当てることなく、開始位置と終了位置の長さ以下になるまで、転写する。開始位置と終了位置の長さ以下になったら、上記と同様に転写すれば、きっちりと転写することができる。
【００５１】
このように、使用者が転写したいと思う任意の長さ分だけ、きっちりと転写することができる塗膜転写具を提供することができるようになった。
【００５２】
実施例では、弾発部材にトーションばねを使用して、開始位置と終了位置が決まるように設置しているが、弾発部材がトーションばねに限定されるものではない。また、使い勝手は良くないが、弾発部材なしでも、開始位置と終了位置が決まるように設置することで、機能を果たすことはできる。
【実施例２】
【００５３】
実施例２は、補助具３１が回動部３２にて塗膜転写具１のケース２に接続しているものである。この塗膜転写具１のケース２および内部構成は、上記で説明したものであり、ユニオンケミカー株式会社製「修正テープ消シマウスＨＧ」と同じである。補助具３１の形状は円弧形状で、円の半径方向に幅のある円弧形状である。補助具３１は、塗膜転写具１の正面側と背面側それぞれにある。
【００５４】
補助具３１の円弧における円周方向の一端に回動部３２があり、それとは反対側の一端に被転写面４と接する接地部分があり、ここに正面側と背面側それぞれにある２つの補助具３１と接続した接地バー３４がある。接地バー３４はローラのように回転可能なものではなく、補助具３１を被転写面４に当てたまま塗膜転写ができるように、接地バー３４には滑り止め用のゴムカバーを着けている。このゴムカバーが、実際に被転写面４と直接接触する部分である。
【００５５】
このように、実施例２では補助具３１の円弧部分が被転写面４と直接接触してはいない。これらの点が実施例１とは異なり、他は同じである。
【００５６】
図９から図１４までが、この実施例２の説明図である。図９は、正面図における開始位置の説明図であり、図１０は、背面図における開始位置の説明図である。図１１は、正面図における終了位置の説明図であり、図１２は、背面図における終了位置の説明図である。図１３は、正面図における内部構成の開始位置の説明図であり、図１４は、正面図における内部構成の終了位置の説明図である。
【００５７】
図１３と図１４は、図２と同様の方式で表していて、補助具３１は不透明で表している。図のように、補助具３１の回動部３２は、内部構成の隙間に設置している。
【００５８】
ゴムカバーを着けた接地バー３４は、図面奥行方向で円柱形状である。図では、その断面となる円の一部が見えている。接地バー３４は、その円柱の両端において、正面側と背面側それぞれにある２つの補助具３１と接続している。
【００５９】
正面側と背面側それぞれにある２つの補助具３１は、図では表していないが、図面奥行方向の軸にて回動部３２を介して接続しており、同期して回動する。また、図には示していないが、トーションばねを補助具３１とケース２との間に設置して、図の開始位置と終了位置の間でしか動かず、かつ、ばねによって開始位置に戻るような構成にしている。ばねのような弾発部材によって開始位置と終了位置が決められて開始位置に戻るように設けられた補助具３１である。
【００６０】
補助具３１の回動部３２を中心にして回動するので、補助具３１の接地バー３４は円を描いて動くことになる。ここで図のように、ケース２の位置に回動部３２を設けて、被転写面４までの長さを取れば、開始位置から終了位置までの動きで描く接地バー３４の軌跡（円弧）がほぼ直線となり、転写に支障をきたすことはない。開始位置から終了位置までの動きで描く接地部分の軌跡がほぼ直線となるように設けられたものである。
【００６１】
図９（図１０）のように、塗膜転写具１のケース２を図面右方向（図１０では左方向）へ、ケース２外に突設した転写ヘッド３にて被転写面４に転写テープを押圧しながら動かすときに、補助具３１を被転写面４に当てたまま塗膜転写を開始すると、補助具３１が開始位置と終了位置の間でしか動かすことができず、図１１（図１２）のように、終了位置で動かなくなり、終了位置までしか塗膜を転写することができない。塗膜転写具１が有する補助具３１を被転写面４に当てたまま塗膜を転写すると、塗膜転写の終了位置が決まることになる。
【００６２】
なお、転写ヘッド３の支軸方向と被転写面４の間の角度が４０度で、補助具３１が被転写面４に当たり、塗膜転写が開始できるようにしている。転写ヘッド３の支軸方向と被転写面４の間の角度は、３５度から５０度の範囲が好ましい。この角度より小さいと、補助具３１を被転写面４に当てたまま、塗膜転写するのに、大きな力を要することになり、転写し難くなる。逆に、この角度より大きいと、転写の終了位置が短くなりすぎて、目的を達することができなくなる。
【００６３】
実施例２では、終了位置における補助具３１の接地バー３４が、塗膜５が転写される前の転写テープ１０を挟んで転写ヘッド３に当たるように設置している。転写ヘッド３の側壁８の形状が、実施例１と実施例２とでは、図８と図１３（図１４）のように異なる。これは、接地バー３４が図の正面から背面までの円柱形状であるために、実施例２において、転写ヘッド３の側壁８の形状を実施例１とは変更している。ゆえに、塗膜転写具１の使用者にも、終了位置が明確にわかるものとなっている。
【００６４】
使用者が転写したいと思う長さが、開始位置と終了位置の長さ以下の短い場合であれば、補助具３１の接地バー３４からわかる終了位置を目安にして、きっちりと転写することができる。また、使用者が転写したいと思う長さが、開始位置と終了位置の長さよりも長い場合であれば、次のようにすればきっちりと転写することができる。転写ヘッド３の支軸方向と被転写面４の間の角度を大きくして、補助具３１を被転写面４に当てることなく、開始位置と終了位置の長さ以下になるまで、転写する。開始位置と終了位置の長さ以下になったら、上記と同様に転写すれば、きっちりと転写することができる。
【００６５】
このように、使用者が転写したいと思う任意の長さ分だけ、きっちりと転写することができる塗膜転写具を提供することができるようになった。
【実施例３】
【００６６】
実施例３は、補助具３１が固定枠３５にて塗膜転写具１のケース２に取り付けられているものである。この塗膜転写具１のケース２および内部構成は、上記で説明したものであり、ユニオンケミカー株式会社製「修正テープ消シマウスＨＧ」と同じである。固定枠３５は、塗膜転写具１の転写ヘッド３の方向からケース２にはめ込み、固定している。補助具３１が回動部３２にて固定枠３５に接続している。補助具３１の形状は円弧形状で、円の半径方向に幅のある円弧形状である。補助具３１は、塗膜転写具１の正面側と背面側それぞれにある。
【００６７】
補助具３１の円弧における円周方向の一端に回動部３２があり、それとは反対側の一端に被転写面４と接する接地部分があり、ここに正面側と背面側それぞれにある２つの補助具３１と接続した接地バー３４がある。接地バー３４はローラのように回転可能なものではなく、補助具３１を被転写面４に当てたまま塗膜転写ができるように、接地バー３４には滑り止め用のゴムカバーを着けている。このゴムカバーが、実際に被転写面４と直接接触する部分である。
【００６８】
このように、実施例３では補助具３１が固定枠３５にて塗膜転写具１のケース２に取り付けられている点が実施例２とは異なり、他は同じである。
【００６９】
図１５から図１８までが、この実施例３の説明図である。図１５は、正面図における開始位置の説明図であり、図１６は、背面図における開始位置の説明図である。図１７は、正面図における終了位置の説明図であり、図１８は、背面図における終了位置の説明図である。塗膜転写具１の内部構成は、図２や図３と同じである。
【００７０】
ゴムカバーを着けた接地バー３４は、図面奥行方向で円柱形状である。図では、その断面となる円の一部が見えている。接地バー３４は、その円柱の両端において、正面側と背面側それぞれにある２つの補助具３１と接続している。
【００７１】
この接続により、正面側と背面側それぞれにある２つの補助具３１は、同期して回動する。また、図には示していないが、トーションばねを補助具３１と固定枠３５との間に設置して、図の開始位置と終了位置の間でしか動かず、かつ、ばねによって開始位置に戻るような構成にしている。ばねのような弾発部材によって開始位置と終了位置が決められて開始位置に戻るように設けられた補助具３１である。
【００７２】
補助具３１の回動部３２を中心にして回動するので、補助具３１の接地バー３４は円を描いて動くことになる。ここで図のように、ケース２の位置に回動部３２を設けて、被転写面４までの長さを取れば、開始位置から終了位置までの動きで描く接地バー３４の軌跡（円弧）がほぼ直線となり、転写に支障をきたすことはない。開始位置から終了位置までの動きで描く接地部分の軌跡がほぼ直線となるように設けられたものである。
【００７３】
図１５（図１６）のように、塗膜転写具１のケース２を図面右方向（図１６では左方向）へ、ケース２外に突設した転写ヘッド３にて被転写面４に転写テープを押圧しながら動かすときに、補助具３１を被転写面４に当てたまま塗膜転写を開始すると、補助具３１が開始位置と終了位置の間でしか動かすことができず、図１７（図１８）のように、終了位置で動かなくなり、終了位置までしか塗膜を転写することができない。塗膜転写具１が有する補助具３１を被転写面４に当てたまま塗膜を転写すると、塗膜転写の終了位置が決まることになる。
【００７４】
なお、転写ヘッド３の支軸方向と被転写面４の間の角度が４０度で、補助具３１が被転写面４に当たり、塗膜転写が開始できるようにしている。転写ヘッド３の支軸方向と被転写面４の間の角度は、３５度から５０度の範囲が好ましい。この角度より小さいと、補助具３１を被転写面４に当てたまま、塗膜転写するのに、大きな力を要することになり、転写し難くなる。逆に、この角度より大きいと、転写の終了位置が短くなりすぎて、目的を達することができなくなる。
【００７５】
実施例３においても、実施例２と同じように、転写ヘッド３の側壁８の形状を実施例１とは変更している。ゆえに、塗膜転写具１の使用者にも、終了位置が明確にわかるものとなっている。
【００７６】
使用者が転写したいと思う長さが、開始位置と終了位置の長さ以下の短い場合であれば、補助具３１の接地バー３４からわかる終了位置を目安にして、きっちりと転写することができる。また、使用者が転写したいと思う長さが、開始位置と終了位置の長さよりも長い場合であれば、次のようにすればきっちりと転写することができる。転写ヘッド３の支軸方向と被転写面４の間の角度を大きくして、補助具３１を被転写面４に当てることなく、開始位置と終了位置の長さ以下になるまで、転写する。開始位置と終了位置の長さ以下になったら、上記と同様に転写すれば、きっちりと転写することができる。
【００７７】
このように、使用者が転写したいと思う任意の長さ分だけ、きっちりと転写することができる塗膜転写具を提供することができるようになった。
【符号の説明】
【００７８】
１    塗膜転写具
２    ケース
３    転写ヘッド
４    被転写面
５    塗膜
６    貫通部
７    調整窓
８    側壁
９    基材テープ
１０    転写テープ
１１    繰出しリール
１２    巻取りリール
１３    繰出しリール中心軸
１４    巻取りリール中心軸
１５    繰出しテープガイド
１６    巻取りテープガイド
１７    転写ヘッド支持部
１８    中間部材
１９    繰出しギア
２０    巻取りギア
２１    波形溝
２２    爪
３１    補助具
３２    回動部
３３    接地部
３４    接地バー
３５    固定枠
【図１】
0005618362.tif 000002
【図２】
0005618362.tif 000003
【図３】
0005618362.tif 000004
【図４】
0005618362.tif 000005
【図５】
0005618362.tif 000006
【図６】
0005618362.tif 000007
【図７】
0005618362.tif 000008
【図８】
0005618362.tif 000009
【図９】
0005618362.tif 000010
【図１０】
0005618362.tif 000011
【図１１】
0005618362.tif 000012
【図１２】
0005618362.tif 000013
【図１３】
0005618362.tif 000014
【図１４】
0005618362.tif 000015
【図１５】
0005618362.tif 000016
【図１６】
0005618362.tif 000017
【図１７】
0005618362.tif 000018
【図１８】
0005618362.tif 000019